(57)【特許請求の範囲】
【請求項１】
１つ以上のセクタを構成する複数の無線基地局と、
複数の前記無線基地局と接続され、マルチキャストするコンテンツのフローを制御するための通信制御装置と、
複数の前記無線基地局から送信されたフローを合成し、コンテンツを復元する無線装置と
を備えたエリア管理システムにおいて、
各々の前記無線基地局は、ある無線装置向けのデータを予め定められた所定数の複数スロット毎に１回のタイミングで、インターレースで送信し、
各々の前記無線基地局は、各セクタ当たり、フローを送信する際に使用し前記所定数の複数スロット毎の送信タイミングを並べたものに付与された番号であるインターレース番号毎に、フローを送信するエリアを示すエリア識別番号を記憶したエリア情報管理テーブルと、前記通信制御装置から取得したフローＩＤ毎に、インターレース番号、インターレース内のフローを周期的に送信する送信タイミング、１周期におけるフローの送信時間、フローを送信する際の送信データレートを記憶したフロー情報管理テーブルとを有し、
前記通信制御装置は、フローＩＤ毎に、エリア識別番号、インターレース番号、送信時間、送信データレートを記憶したフロー管理テーブルと、エリア識別番号毎に、フローＩＤ、インターレース番号、送信タイミング、フローの送信時間を記憶したリソース管理テーブルとを有し、
前記無線装置は、前記無線基地局に対して、コンテンツ配信を行うフローのフローＩＤを指定したフロー配信要求を送信し、
前記無線基地局は、前記無線装置から前記フロー配信要求を受信すると、前記エリア情報管理テーブルを参照し、前記通信制御装置に対してサービス要求を送信する際に必要となる自局のインターレース番号毎に設定されたエリア識別番号を読み出し、前記通信制御装置に対し、前記フロー配信要求で指定されたフローＩＤと、読み出した自局のインターレース番号毎のエリア識別番号を含む要求メッセージを送信し、
前記通信制御装置は、前記無線基地局から前記要求メッセージを受信すると、前記フロー管理テーブルを参照し、前記要求メッセージに基づき、該当する、インターレース番号、送信時間、送信データレートを読み出しフロー情報として返信し、
前記無線基地局は、前記フロー情報を受信すると、前記フロー情報を用いて前記通信制御装置との間にフローを流すためのパスを確立し、前記フロー情報に従い無線上にフローを送信する
エリア管理システム。
【請求項２】
前記無線基地局でフローを送信している際に隣接の無線基地局が、同じ前記無線装置から同一のフローＩＤで新たなフロー配信要求を受信した場合、前記隣接の無線基地局は、自局の前記エリア情報管理テーブルの参照を行い、インターレース番号毎に設定されたエリア識別番号を読み出し、前記通信制御装置に対して、要求メッセージを送信し、
前記通信制御装置は、前記フロー管理テーブルを参照し、フローＩＤに対応する、インターレース番号、送信時間、送信データレートを読み出し、前記隣接の無線基地局に対して前記フロー情報を返信し、
前記隣接の無線基地局は、前記通信制御装置から前記フロー情報を受信すると、前記フロー情報を用いて前記通信制御装置との間にフローを流すためのパスを確立し、前記フロー情報に従い該当するセクタの無線上にフローを送信することにより、前記隣接の無線基地局と前記無線基地局との間で同一のコンテンツを実質的に同一タイミングで送信し、
前記無線端末は、前記無線基地局からのフローと前記隣接する無線基地局からのフローとを合成して受信する
請求項１記載のエリア管理システム。

【請求項３】
複数のセクタを構成する無線基地局と、
前記無線基地局と接続され、マルチキャストするコンテンツのフローを制御するための通信制御装置と、
前記無線基地局の複数のセクタから送信されたフローを合成し、コンテンツを復元する無線装置と
を備えたエリア管理システムにおいて、
前記無線基地局は、ある無線装置向けのデータを予め定められた所定数の複数スロット毎に１回のタイミングで、インターレースで送信し、
前記無線基地局は、各セクタ当たり、フローを送信する際に使用し前記所定数の複数スロット毎の送信タイミングを並べたものに付与された番号であるインターレース番号毎に、フローを送信するエリアを示すエリア識別番号を、各セクタに対して記憶したエリア情報管理テーブルと、前記通信制御装置から取得したフローＩＤ毎に、インターレース番号、インターレース内のフローを周期的に送信する送信タイミング、１周期におけるフローの送信時間、フローを送信する際の送信データレートを、各セクタに対して記憶したフロー情報管理テーブルとを有し、
前記通信制御装置は、フローＩＤ毎に、エリア識別番号、インターレース番号、送信時間、送信データレートを記憶したフロー管理テーブルと、エリア識別番号毎に、フローＩＤ、インターレース番号、送信タイミング、フローの送信時間を記憶したリソース管理テーブルとを有し、
前記無線装置は、前記無線基地局に対して、第１セクタによりコンテンツ配信を行うフローのフローＩＤを指定したフロー配信要求を送信し、
前記無線基地局は、前記無線装置から前記フロー配信要求を受信すると、前記無線装置が位置するセクタについて、前記エリア情報管理テーブルを参照し、前記通信制御装置に対してサービス要求を送信する際に必要となる自局のインターレース番号毎に設定されたエリア識別番号を読み出し、前記通信制御装置に対し、前記フロー配信要求で指定されたフローＩＤと、読み出した自局のインターレース番号毎のエリア識別番号を含む要求メッセージを送信し、
前記通信制御装置は、前記無線基地局から前記要求メッセージを受信すると、前記フロー管理テーブルを参照し、前記要求メッセージで要求に基づき、該当する、インターレース番号、送信時間、送信データレートを読み出しフロー情報として返信し、
前記無線基地局は、前記フロー情報を受信すると、前記フロー情報を用いて前記通信制御装置との間にフローを流すためのパスを確立し、前記フロー情報に従い該当するセクタの無線上にフローを送信する
エリア管理システム。
【請求項４】
前記無線基地局の第１セクタでフローを送信している際に前記無線基地局の第２セクタにより、同じ前記無線装置から同一のフローＩＤで新たなフロー配信要求を受信した場合、前記無線基地局は、前記エリア情報管理テーブルの参照を行い、第２セクタに対してインターレース番号毎に設定されたエリア識別番号を読み出し、前記通信制御装置に対して、要求メッセージを送信し、
前記通信制御装置は、前記フロー管理テーブルを参照し、該当する、フローＩＤに対応する、インターレース番号、送信時間、送信データレートを読み出し、前記無線基地局の第２セクタに対して前記フロー情報を返信し、
前記無線基地局は、前記通信制御装置から前記フロー情報を受信すると、前記フロー情報を用いて前記通信制御装置との間にフローを流すためのパスを確立し、前記フロー情報に従い該当する第２セクタの無線上にフローを送信することにより、前記隣接の無線基地局と前記無線基地局との間で同一のコンテンツを実質的に同一タイミングで送信し、
前記無線端末は、前記無線基地局の第１セクタからのフローと前記無線基地局の第２セクタからのフローとを合成して受信する
請求項３記載のエリア管理システム。

【請求項５】
前記通信制御装置が管理している前記リソース管理テーブルの該当エリア識別番号の無線リソースに空きリソースが不足している場合は、前記応答メッセージにて空きリソースが不足しているため割り当てされない旨を通知することを特徴とする請求項１又は３に記載のエリア管理システム。
【請求項６】
前記通信制御装置とネットワークを介して接続され、コンテンツのフローを送信するコンテンツサーバをさらに備え、
前記通信制御装置は、前記フロー管理テーブルに仮に割り当てたフローのリソース情報の確定を行い、前記コンテンツサーバに対してフローの配信要求を送信し、
前記コンテンツサーバは、前記通信制御装置からのフローの配信要求の受信を契機にコンテンツの配信を開始することを特徴とする請求項１又は３に記載のエリア管理システム。
【請求項７】
前記無線基地局は１つ以上のセクタで構成され、
１つのセクタは複数のインターレース番号を有し、インターレース番号を用いてエリアを管理することで１つの前記無線基地局が複数のエリアに属することを特徴とする請求項１又は３に記載のエリア管理システム。
【請求項８】
前記セクタのリソースを複数のグループに分割し、
分割した複数のグループ毎にエリアを管理することで１つの前記無線基地局が複数のエリアに属することを特徴とする請求項１又は３に記載のエリア管理システム。
【請求項９】
前記無線基地局の上位装置である前記通信制御装置でエリア毎のリソースを管理することで大小さまざまなエリアにおけるソフトコンバインを実現することを特徴とする請求項１又は３に記載のエリア管理システム。
【請求項１０】
前記無線装置は、障害監視及び／又は制御を行う保守用の装置である保守装置であり、
前記保守装置からフロー配信要求を送信し、パスを確立することを特徴とする請求項１又は３に記載のエリア管理システム。
【請求項１１】
前記無線装置は、無線端末であることを特徴とする請求項１又は３に記載のエリア管理システム。
【請求項１２】
エリア識別情報は、ＳＨＯＧ（Ｓｏｆｔ  ＨａｎｄＯｆｆ  Ｇｒｏｕｐ）であることを特徴とする請求項１又は３に記載のエリア管理システム。
【発明の詳細な説明】
【技術分野】
【０００１】
本発明は、エリア管理システムに係り、特に、無線基地局から制御情報を報知して音声またはデータの通信を行う無線システムにおいて、無線基地局から送信したフローを複数の無線端末で受信するマルチキャストサービスのためのエリア管理システムに関する。
【背景技術】
【０００２】
通信の分野ではブロードバンドの普及、ルータ装置等の技術的な進歩、エンドユーザの大容量のストリーミング映像等を受信したいというニーズの増加とシーズの進歩に伴い、ユニキャストに比べて少ない通信リソースでデータを同報することができるマルチキャスト技術に注目が集まっている。マルチキャスト技術とは、一つのパケットまたはデータストリームをサーバとクライアント間に設置されたルータで必要数分複製し、複数のユーザへ同時に配信する技術である。マルチキャスト技術により、複数の相手に対して１対１でデータの送受信を行うユニキャスト方式に比べて、ネットワーク上を流れるトラフィック量を抑制することができる、また、データを配信する配信元サーバの負荷を軽減することができるという利点がある。
【０００３】
無線通信においても、無線帯域及びネットワークの効率化を図るため、１つのデータストリームを複数の無線端末で受信する通信技術の検討が行われている。従来の無線通信の方式は無線端末毎に物理チャネルを割り当て、無線上にコネクションを確立して通信する１対１のユニキャスト通信であった。この物理チャネルのある特定のチャネルをマルチキャスト用チャネルに規定し、マルチキャストＩＰアドレスのデータを送信する通信技術が検討されている。この技術により１つのデータストリームを複数の無線端末で受信することになり、無線帯域を効率的に利用することができる。
【０００４】
一般に、無線基地局は、１つ以上のセクタを持つ。無線端末の電波受信状態は、無線端末とセクタとの間の電波伝搬環境により異なることが想定される。例えば、ユニキャスト通信では、無線端末とセクタとの間で１対１通信を行っているため、無線端末の電波受信状況（伝搬状況）が良いときには送信するデータのデータレートを高くして、電波受信状況（伝搬状況）が悪いときにはデータレートを低くするなど無線端末の電波環境に応じてデータレートを制御することが可能である。一方、マルチキャスト通信では、マルチキャスト用チャネル上である特定のデータレートで送信されたデータを受信しなければならないため、電波環境が悪いとき、そのデータレートでは受信するのに必要な電波を受信できず、マルチキャストされたデータを受信できない無線端末が存在する場合がある。一般に、無線端末が受信したデータをデコートできるか否かは、例えば、受信した実データと干渉ノイズ、それぞれの信号の大きさの比率に依存する。一定のデータレートでマルチキャストされたデータを、より多くの無線端末で受信可能とするためには干渉ノイズに対する実データ信号の大きさの比率を大きくしなければならない。
【０００５】
ここで、無線端末通信技術としてＣＤＭＡ（Ｃｏｄｅ  Ｄｉｖｉｓｉｏｎ  Ｍｕｌｔｉｐｌｅ  Ａｃｃｅｓｓ）を用いた場合、例えば、従来のユニキャスト通信技術では、電波環境の最も良いセクタを選択して通信を行っていたため、選択対象となっていない隣接のセクタから送信される電波は、全て干渉ノイズとなっていた。一方、マルチキャスト通信の場合には、例えば、干渉ノイズに対する実データの強さの比率を大きくする方法として、隣接する複数のセクタから、同じ周波数を使って同じデータを同じ（実質的に同じ場合も含む。）タイミングで送信し、無線端末でこれらデータ信号を合成して受信するソフトコンバインという技術が、例えば、非特許文献１に記載されている。
【０００６】
隣接のセクタから同じデータを同じタイミングで送信し、無線端末では複数のセクタから送信された信号を合成して受信する方式を用いることで、電波環境の良いセクタを選択して通信を行う方式に比べて、干渉ノイズに対する実データの比率が大きくなり、より多くの無線端末でマルチキャストされたデータの受信が可能となる。無線基地局は、データを送信するタイミングを制御情報に含め、無線基地局から無線端末に対して一定周期で報知する。
【０００７】
【非特許文献１】３ＧＧＰ２（３ｒｄ  ｇｅｎｅｒａｔｉｏｎ  ｐａｒｔｎｅｒｓｈｉｐ  ｐｒｏｊｅｃｔ  ２）Ｃ．Ｓ００５４
【発明の開示】
【発明が解決しようとする課題】
【０００８】
無線ネットワークは、一般に、無線基地局と通信制御装置等を備える。無線基地局は、１つ以上のセクタを持ち、セクタ毎に無線端末と無線で通信を行う。通信制御装置は、無線基地局と有線で接続され、無線プロトコルのコンフィギュレーション、セッション情報の管理、無線パケットの制御及び終端等の制御を行う。通信制御装置には、１つ以上の無線基地局が接続される。
【０００９】
無線基地局から無線端末に対してマルチキャストする音声やデータをフローと称する。フローは、無線基地局から一定の周期及び一定のデータレートで連続的に無線端末に送信される。無線基地局は、フローを送信する周期及びデータレート情報を無線端末に対して一定周期で報知する。マルチキャストするフローは、フローの内容により送信するエリアが異なる場合がある。例えば、全国の天気などのフローは大規模なエリアに配信する必要がある。一方、ある遊園地の園内情報などのフローは、大規模なエリアで送信する必要はなく、遊園地の敷地内などの限られたエリアで配信すれば良い情報である。フローを送信する必要のないエリアに送信すると、そのエリアの無線帯域を浪費することとなるため、フローの内容に応じた配信エリアの管理、フローの配信制御が必要である。現在、商用サービス用に向けて開発が進められるとされているエリア管理の方式では、無線基地局と配信エリアの対応が１：１の対応となっているため、送信するフローの内容に応じて配信エリアの大小を制御することができなかった。
【００１０】
また、前述したソフトコンバインを実現するためには、複数のセクタから同一のフローを同一のタイミングで送信する必要がある。例えば、無線基地局の上位装置である通信制御装置で、配下の無線基地局のセクタ全ての無線リソースを管理し、同一のフローを送信する時間を各無線基地局に通知することで、フローを送信するタイミングを異なる無線基地局の全セクタ間で同期させることは可能である。しかし、通信制御装置が制御する無線基地局の全てのセクタで同期をとる方式を採用すると、ある無線基地局のあるセクタであるフローを割り当てた時間帯は、他のセクタでも同一のフローを送信する可能性があるため、現在そのフローを送信していなくともそのフローが送信されている時間帯を確保しておかなければならなくなる。確保した時間帯は、他のマルチキャストのフローを割り当てることができないため、システム全体で送信可能なフロー数が減少してしまう。一方、システム全体で送信するフロー数を増加させるための方法として、１つのエリアを複数のエリアに分割してエリア毎にフローの送信を管理する方式も考えられるが、送信タイミングの制御がエリア毎に分割されてしまうため、エリアを跨いで送信する必要がある内容のフローを無線端末に送信する場合に、エリア間でソフトコンバインができないため、エリアの境界で無線の受信品質が劣化するという課題が発生する。
【００１１】
本発明は、以上の点に鑑み、１つのセクタを複数のエリアに属することで、フロー内容に応じて送信するエリアをフレキシブルに設定することにより、無駄に時間リソースが確保されることをなくし、無線帯域を有効利用することを目的とする。さらに、本発明は、１つのフローがエリアを跨いで送信されることをなくし、大小様々なエリアでセクタ間のソフトコンバインを可能とすることにより、システム全体で無線端末の受信品質を向上することを目的とする。さらに、本発明は、無線リソースをエリア毎に管理することにより、本来確保されていた時間リソースで別のフローを送信することを可能とすることにより、システム全体で送信可能なフロー数を増加させることを目的とする。
【課題を解決するための手段】
【００１２】
本発明の第１の解決手段によると、
１つ以上のセクタを構成する複数の無線基地局と、
複数の前記無線基地局と接続され、マルチキャストするコンテンツのフローを制御するための通信制御装置と、
複数の前記無線基地局から送信されたフローを合成し、コンテンツを復元する無線装置と
を備えたエリア管理システムにおいて、
各々の前記無線基地局は、ある無線装置向けのデータを予め定められた所定数の複数スロット毎に１回のタイミングで、インターレースで送信し、
各々の前記無線基地局は、各セクタ当たり、フローを送信する際に使用し前記所定数の複数スロット毎の送信タイミングを並べたものに付与された番号であるインターレース番号毎に、フローを送信するエリアを示すエリア識別番号を記憶したエリア情報管理テーブルと、前記通信制御装置から取得したフローＩＤ毎に、インターレース番号、インターレース内のフローを周期的に送信する送信タイミング、１周期におけるフローの送信時間、フローを送信する際の送信データレートを記憶したフロー情報管理テーブルとを有し、
前記通信制御装置は、フローＩＤ毎に、エリア識別番号、インターレース番号、送信時間、送信データレートを記憶したフロー管理テーブルと、エリア識別番号毎に、フローＩＤ、インターレース番号、送信タイミング、フローの送信時間を記憶したリソース管理テーブルとを有し、
前記無線装置は、前記無線基地局に対して、コンテンツ配信を行うフローのフローＩＤを指定したフロー配信要求を送信し、
前記無線基地局は、前記無線装置から前記フロー配信要求を受信すると、前記エリア情報管理テーブルを参照し、前記通信制御装置に対してサービス要求を送信する際に必要となる自局のインターレース番号毎に設定されたエリア識別番号を読み出し、前記通信制御装置に対し、前記フロー配信要求で指定されたフローＩＤと、読み出した自局のインターレース番号毎のエリア識別番号を含む要求メッセージを送信し、
前記通信制御装置は、前記無線基地局から前記要求メッセージを受信すると、前記フロー管理テーブルを参照し、前記要求メッセージに基づき、該当する、インターレース番号、送信時間、送信データレートを読み出しフロー情報として返信し、
前記無線基地局は、前記フロー情報を受信すると、前記フロー情報を用いて前記通信制御装置との間にフローを流すためのパスを確立し、前記フロー情報に従い無線上にフローを送信する
エリア管理システムが提供される。
【００１３】
本発明の第２の解決手段によると、
複数のセクタを構成する無線基地局と、
前記無線基地局と接続され、マルチキャストするコンテンツのフローを制御するための通信制御装置と、
前記無線基地局の複数のセクタから送信されたフローを合成し、コンテンツを復元する無線装置と
を備えたエリア管理システムにおいて、
前記無線基地局は、ある無線装置向けのデータを予め定められた所定数の複数スロット毎に１回のタイミングで、インターレースで送信し、
前記無線基地局は、各セクタ当たり、フローを送信する際に使用し前記所定数の複数スロット毎の送信タイミングを並べたものに付与された番号であるインターレース番号毎に、フローを送信するエリアを示すエリア識別番号を、各セクタに対して記憶したエリア情報管理テーブルと、前記通信制御装置から取得したフローＩＤ毎に、インターレース番号、インターレース内のフローを周期的に送信する送信タイミング、１周期におけるフローの送信時間、フローを送信する際の送信データレートを、各セクタに対して記憶したフロー情報管理テーブルとを有し、
前記通信制御装置は、フローＩＤ毎に、エリア識別番号、インターレース番号、送信時間、送信データレートを記憶したフロー管理テーブルと、エリア識別番号毎に、フローＩＤ、インターレース番号、送信タイミング、フローの送信時間を記憶したリソース管理テーブルとを有し、
前記無線装置は、前記無線基地局に対して、第１セクタによりコンテンツ配信を行うフローのフローＩＤを指定したフロー配信要求を送信し、
前記無線基地局は、前記無線装置から前記フロー配信要求を受信すると、前記無線装置が位置するセクタについて、前記エリア情報管理テーブルを参照し、前記通信制御装置に対してサービス要求を送信する際に必要となる自局のインターレース番号毎に設定されたエリア識別番号を読み出し、前記通信制御装置に対し、前記フロー配信要求で指定されたフローＩＤと、読み出した自局のインターレース番号毎のエリア識別番号を含む要求メッセージを送信し、
前記通信制御装置は、前記無線基地局から前記要求メッセージを受信すると、前記フロー管理テーブルを参照し、前記要求メッセージで要求に基づき、該当する、インターレース番号、送信時間、送信データレートを読み出しフロー情報として返信し、
前記無線基地局は、前記フロー情報を受信すると、前記フロー情報を用いて前記通信制御装置との間にフローを流すためのパスを確立し、前記フロー情報に従い該当するセクタの無線上にフローを送信する
エリア管理システムが提供される。
【発明の効果】
【００１４】
本発明によると、１つのセクタが複数のエリアに属することで、フロー内容に応じて送信するエリアをフレキシブルに設定することが可能となるため、無駄に時間リソースが確保されることがなくなり、無線帯域を有効利用することができる。さらに、本発明によると、１つのフローがエリアを跨いで送信されることがなくなり、大小様々なエリアでセクタ間のソフトコンバインが可能となるため、システム全体で無線端末の受信品質を向上することが可能となる。さらに、本発明によると、無線リソースをエリア毎に管理することにより、本来確保されていた時間リソースで別のフローを送信することが可能となるため、システム全体で送信可能なフロー数を増加させることが可能となる。
【発明を実施するための最良の形態】
【００１５】
１．概要
１ｘＥＶ−ＤＯ（１ｘ  ＥＶｏｌｕｔｉｏｎ  Ｄａｔａ  Ｏｎｌｙ）システムでは下り方向（無線基地局から端末方向）の通信方式に時分割多重を採用しており、スロット（ｓｌｏｔ）（例：１ｓｌｏｔ≒１．６７ｍ秒）という時間単位で多重伝送している。従来のユニキャスト通信の場合、無線端末は、無線基地局から受信したデータに対し、データを正常にデコードすることができたか否かの応答を無線基地局に返信する。無線基地局は、無線端末からの返信内容に応じて、データの再送を行うか次のデータを送信するかをスケジューリングする。一般に、無線基地局が無線端末に対してデータを送信し、無線端末からの受信応答を受けて次に送信するデータをスケジューリングするまでに３ｓｌｏｔの時間を要する。この３ｓｌｏｔの時間を考慮し、無線基地局では、ある無線端末向けのデータを４ｓｌｏｔに１回のタイミングで送信している。４ｓｌｏｔ毎の送信タイミングのものを並べたものを標準ではＩｎｔｅｒｌａｃｅという名称で規定している。なお、４ｓｌｏｔ毎に限らず適宜所定数ｓｌｏｔ毎としてもよい。マルチキャストサービスでは、先に述べた通り、ソフトコンバインを実現するため、無線基地局から一定周期で連続的に送信されたフローを複数の無線端末で受信する方式をとっている。本実施の形態では、４つのＩｎｔｅｒｌａｃｅとフローの送信エリアを対応付けることにより、マルチキャストサービス特有の課題を解決する方式を提案する。
【００１６】
詳細を以下に示す。無線基地局は、１つ以上のセクタを持つ。各セクタのＩｎｔｅｒｌａｃｅ毎に任意のエリア識別番号を設定する。エリア識別番号をＳＨＯＧ（Ｓｏｆｔ  ＨａｎｄＯｆｆ  Ｇｒｏｕｐ）と称する。ＳＨＯＧとフローの対応情報は、複数の無線基地局間で共通とするため、１つ以上の無線基地局と有線で接続され、複数の無線基地局の情報を統括して管理することができる通信制御装置で一括管理する。また、通信制御装置では、フローを無線で送信する際の無線データレート、１周期内で該当フローを連続して送信する時間等の情報も統括して管理を行う。無線基地局は、無線端末又は保守装置から、自局のあるセクタでフローの配信要求を受信した際に、要求を受けたフローを送信するＩｎｔｅｒｌａｃｅの情報を得るため、該当フローＩＤとＳＨＯＧの対応情報を通信制御装置に対して問い合わせる。問い合わせのメッセージには、フローを識別するためのフローＩＤ情報と、フローの配信要求を受信したセクタに設定された各ＩｎｔｅｒｌａｃｅのＳＨＯＧの番号情報を含める。通信制御装置では、フローＩＤ情報からフローを配信するＳＨＯＧを判別すると共に、該当ＳＨＯＧの１周期分の時間リソースに、新規に要求を受けたフローを送信するためのリソースが存在するか検索を行う。該当ＳＨＯＧの時間リソースに、要求されたフローを送信することのできるリソースが空いている場合は、１周期の時間リソース内で該当フローを送信するタイミングを決定する。通信制御装置は、無線基地局からの受信したメッセージに対して、フローを配信するＳＨＯＧ番号、フローを無線上で送信する際のデータレート、フローを周期送信するタイミング、１周期内でフローを送信する時間等の情報を返信する。無線基地局は、通信制御装置から受信した情報を用いて、通信制御装置との間にパスを確立し、フローの配信を行う。
【００１７】
異なる複数のセクタからフローを受信する場合は、異なるセクタの同じＩｎｔｅｒｌａｃｅに同じＳＨＯＧ番号を設定することで、セクタ間でフローを送信するタイミングを同期させ、ソフトコンバインを実現する。また、同じＳＨＯＧ番号に登録するセクタ数を増減することでフローの内容に応じてフローの送信エリアの規模を自在に制御することが可能となる。１つのセクタ当たり４つのＩｎｔｅｒｌａｃｅを持つので、各Ｉｎｔｅｒｌａｃｅに異なるＳＨＯＧ番号を設定することで、１つのセクタが、最大で大小４つのエリアに同時に属することを可能とする。本技術を適用することにより、小さいエリアでマルチキャストフローを送信したい場合に、周りの無線基地局で無駄なリソースを確保することがなくなり、無線帯域を有効に利用することが可能となる。また、大小さまざまなエリアにおけるソフトコンバインを実現することが可能となるため、システム全体での無線端末の受信品質は向上する。
【００１８】
本実施の形態は、Ｉｎｔｅｒｌａｃｅ単位にＳＨＯＧを設定して管理する方式に限ったものではなく、各ＩｎｔｅｒｌａｃｅをＩｎｔｅｒｌａｃｅ１−１、Ｉｎｔｅｒｌａｃｅ１−２、・・・、Ｉｎｔｅｒｌａｃｅ１−ｎ（ｎは任意の整数）などさらに複数に分割しその分割単位にＳＨＯＧを設定してリソースを管理する方法をとることで、１つのセクタが４つ以上のエリアに同時に属することも可能である。
【００１９】
２．システム
図１は、無線システムの構成図である。
この無線システムは、無線端末１００と、無線基地局１１０、１１１、１１２、１１３、１１４と、通信制御装置１２０と、コンテンツサーバ１４０と、保守装置１５０を備える。
ソフトコンバインを実現するため、無線端末１００が複数の無線基地局１１０、１１１、１１２、１１３、１１４からの電波を受信できるよう、無線基地局同士の送信した電波が接する隣接の関係に設置する。無線基地局１１０と無線基地局１１１は隣接関係、無線基地局１１１と無線基地局１１２は隣接関係、無線基地局１１２と無線基地局１１３は隣接関係、無線基地局１１３と無線基地局１１４は隣接関係である。無線基地局１１０、１１１、１１２、１１３、１１４のセクタのＩｎｔｅｒｌａｃｅ毎にエリア識別番号（ＳＨＯＧ）を設定する。同じＳＨＯＧに設定されたＩｎｔｅｒｌａｃｅでは、同一のフローを同一のタイミング（実質的に同じ場合も含む）で送信する。
【００２０】
無線基地局１１０、１１１、１１２、１１３、１１４は、無線端末１００と無線で通信を行う。無線基地局１１０、１１１、１１２、１１３、１１４からマルチキャストするフローは、各セクタのマルチキャストチャネルを使用して送信される。マルチキャストするフローは、フロー毎にフローＩＤという識別子を持つ。無線基地局１１０、１１１、１１２、１１３、１１４は、送信しているフローのフローＩＤ、送信時間、送信タイミング、フローの無線データレートの情報を制御情報に含め、一定周期で無線端末１００に報知する。無線端末１００は、この報知された情報の内容に従い、フローの受信を行う。また、無線基地局１１０、１１１、１１２、１１３、１１４は、そのセクタで送信しているフローが隣接セクタでも送信されている場合、同一のフローを送信している隣接セクタ情報すなわち同じＳＨＯＧに登録されているセクタの情報を無線端末１００に報知する。無線端末１００は、無線基地局１１０、１１１、１１２、１１３、１１４から報知された隣接セクタ情報等の情報から同一のフローを送信している隣接セクタ又は隣接無線基地局を判別し、フローを合成して受信する。
【００２１】
通信制御装置１２０は、無線パケット制御装置であり、無線端末１００のセッション情報の管理、端末認証、無線パケットの制御及び終端を行う等の機能を有する。また、通信制御装置１２０は、マルチキャストするフローを配信するＩｎｔｅｒｌａｃｅ番号、ＳＨＯＧ、複数の無線基地局１１０、１１１、１１２、１１３、１１４で同一のデータを同一のタイミングで送信するためのフローの無線リソース情報を管理し、無線リソース情報に応じたパケットを無線基地局１１０、１１１、１１２、１１３、１１４へ送信する機能を有する。
コンテンツサーバ１４０は、ＩＰ−ＮＷ（Ｉｎｔｅｒｎｅｔ  Ｐｒｏｔｏｃｏｌ  −  Ｎｅｔｗｏｒｋ）１３０に有線で接続され、ブロードキャストするフローを配信するためのサーバである。コンテンツサーバ１４０は、ＩＰ−ＮＷを介して通信制御装置１２０と通信を行い、通信制御装置１２０からのフローの送信開始または停止要求に対してフローの送信または停止を行う機能を有する。
【００２２】
保守装置１５０は、無線基地局１１０、１１１、１１２、１１３、１１４及び通信制御装置１２０と接続され、無線基地局１１０、１１１、１１２、１１３、１１４及び通信制御装置１２０の障害監視及び制御を行うための保守用の装置である。
図２は、無線基地局１１０、１１１、１１２、１１３、１１４の構成図である。
無線基地局１１０、１１１、１１２、１１３、１１４は、主信号処理部２００と、無線基地局の障害監視及び制御を行う基地局制御部２０２と、セクタ毎のアンテナとを備える。主信号処理部２００は、複数の無線アナログ部（セクタ）２２０、２２１、２２２と、呼処理部２０１と、ディジタル信号処理部２３０と、回線インタフェース部２３１とを有する。
【００２３】
無線アナログ部（セクタ）２２０、２２１、２２２は、例えば、アンテナ、無線受信部、無線送信部を備える。無線アナログ部２２０、２２１、２２２は、無線端末１００と無線にて信号を送受信する。例えば、無線アナログ部２２０、２２１、２２２は、無線端末１００から送信される上り信号を受信し、受信したアナログ信号をディジタル信号に変換し、ディジタル信号処理部２３０に送信する。また、無線アナログ部２２０、２２１、２２２は、ディジタル信号処理部２３０から送られる下り信号をディジタル信号からアナログ信号に変換して、電波に変換し無線端末１００に送信する。さらに、無線アナログ部２２０、２２１、２２２は、例えば、図に示すようにダイバシティ構成とすることができる。呼処理部２０１は、エリア情報であるＳＨＯＧを管理するためのＳＨＯＧ管理テーブル２４１と、フロー情報を管理するためのフロー情報管理テーブル２４０と、ＣＰＵと、メモリ（ＭＥＭ）と、インタフェース（Ｉ／Ｏ）とを有する。呼処理部２０１は、ディジタル信号処理部２３０を介して各無線アナログ部と接続され、主に呼処理を行う。
回線インタフェース２３１は、呼処理部２０１と通信制御装置１２０との間で通信を行うためのインタフェースである。また、ディジタル信号処理部２３０は、上り信号の復調及び下り信号の変調を行うユニットである。基地局制御部２０２は、基地局全体の障害監視、制御を行う。
【００２４】
図３は、通信制御装置１２０の構成図である。
通信制御装置１２０は、装置制御部３１０、呼処理部３１１、回線インタフェース３１２及び３１３を備える。呼処理部３１１は、リソース管理テーブル３０１と、フロー管理テーブル３０２と、ＣＰＵと、メモリ（ＭＥＭ）と、インタフェース（Ｉ／Ｏ）とを有する。装置制御部３１０は、ＣＰＵと、メモリ（ＭＥＭ）と、インタフェース（Ｉ／Ｏ）とを有する。
呼処理部３１１は、例えば、無線基地局１１０、１１１、１１２、１１３、１１４の呼処理部２０１との間で呼処理を行う。また、リソース管理テーブル３０１は、通信制御装置１２０が制御する無線基地局でソフトコンバインを行うために必要なフローのＩＤ情報、ＳＨＯＧ毎のフローの送信時間及び送信タイミング等を管理する。フロー管理テーブル３０２は、フローとフローを送信するＩｎｔｅｒｌａｃｅ、ＳＨＯＧの対応付けを管理する。通信制御装置１２０は、無線基地局１１０、１１１、１１２、１１３、１１４からのフロー情報取得要求に応じてフロー情報を通知し、リソース管理テーブル３０１の更新を行う。装置制御部３１０は、通信制御装置１２０の全体の障害監視、制御を行う。
【００２５】
図４は、コンテンツサーバ１４０の構成図である。
コンテンツサーバ１４０は、ＣＰＵ、メモリ（ＭＥＭ）、マルチキャストするコンテンツ４００、ＩＰ−ＮＷと接続するためのインタフェース（Ｉ／Ｏ）を有する。コンテンツサーバ１４０は、コンテンツを管理し、通信制御装置１２０からのフロー配信及び停止要求に応じてコンテンツの配信及び停止を制御する。
【００２６】
図５は、保守装置１５０の構成図である。
保守装置１５０は、ＣＰＵと、ＭＥＭと、無線基地局１１０、１１１、１１２、１１３、１１４及び通信制御装置１２０と接続するためのインタフェース（Ｉ／Ｏ）を備える。保守装置１５０は、無線基地局１１０、１１１、１１２、１１３、１１４及び通信制御装置１２０と接続され、無線基地局１１０、１１１、１１２、１１３、１１４及び通信制御装置１２０の障害監視及び制御を行う。また、無線基地局１１０、１１１、１１２、１１３、１１４に対してフローの送信要求を送信する機能を有する。
【００２７】
図６は、無線基地局１１０、１１１、１１２、１１３、１１４が保持しているＳＨＯＧ管理テーブル２４０の説明図の一例である。
無線基地局１１０、１１１、１１２、１１３、１１４は、ＳＨＯＧ管理テーブル２４０により、セクタのＩｎｔｅｒｌａｃｅ単位に設定されたエリア情報（ＳＨＯＧ）の管理を行う。本実施の形態では、Ｉｎｔｅｒｌａｃｅ０〜１をＳＨＯＧ１に、Ｉｎｔｅｒｌａｃｅ２をＳＨＯＧ２に、Ｉｎｔｅｒｌａｃｅ３をＳＨＯＧ３に設定することで、あるセクタを３つのエリアに所属させている。
【００２８】
図７は、無線基地局１１０、１１１、１１２、１１３、１１４が保持しているフロー情報管理テーブル２４１の説明図の一例である。
無線基地局１１０、１１１、１１２、１１３、１１４は、フロー情報管理テーブル２４１により、通信制御装置１２０から取得した各フローＩＤに対するフローの配信Ｉｎｔｅｒｌａｃｅ、送信タイミング、送信時間、送信データレートの情報をセクタ毎に管理する。本実施の形態では、無線基地局１１０、１１１、１１２、１１３、１１４でフローＩＤ  ０ｘ０１、０ｘ０２、０ｘ０４、０ｘ０８を送信している場合の例を示している。
【００２９】
図８は、通信制御装置１２０が保持しているフロー管理テーブル３０１の説明図の一例である。
通信制御装置１２０は、フロー管理テーブル３０１により、フローＩＤ毎にフローを送信するＩｎｔｅｒｌａｃｅ、送信時間、送信データレートの管理を全フローＩＤ分行う。
図９は、通信制御装置１２０が保持しているリソース管理テーブル３０２の説明図の一例である。
通信制御装置１２０は、リソース管理テーブル３０２により、ＳＨＯＧ毎に無線リソース情報の管理を行う。リソース管理テーブル３０２は、ＳＨＯＧ、フローＩＤ、フローを配信するＩｎｔｅｒｌａｃｅ、Ｉｎｔｅｒｌａｃｅ内のフローの送信タイミング、フローの送信時間の管理を行う。本実施の形態では、通信制御装置１２０が制御する無線基地局１１０、１１１、１１２、１１３、１１４でフローＩＤ  ０ｘ０１、０ｘ０２、０ｘ０４、０ｘ０８を送信している場合の例を示している。
【００３０】
図１１は、メッセージのフォーマットの説明図である。
図１１（ａ）にメッセージの基本フォーマット、図１１（ｂ）にＳｅｒｖｉｃｅ  Ｒｅｑｕｅｓｔメッセージ、図１１（ｃ）にＳｅｒｖｉｃｅ  Ｒｅｓｐｏｎｓｅメッセージの概要フォーマットをそれぞれ示す。各メッセージは、ヘッダと情報部を含む。
図１２に、メッセージの情報部の詳細フォーマットの説明図を示す。
図１２（ａ）に、Ｓｅｒｖｉｃｅ  Ｒｅｑｕｅｓｔメッセージの情報部を示す。図１２（ｂ）に、Ｓｅｒｖｉｃｅ  Ｒｅｓｐｏｎｓｅメッセージの情報部を示す。
【００３１】
３．動作１（無線基地局と、それに隣接する無線基地局との間のソフトコンバイン）
図１０は、第１の実施の形態のエリア管理を実現するためのシーケンス図である。
まず、本実施の形態の初期状態としては、次の通りである。各々の無線基地局１１２、１１１、１１３のＳＨＯＧ管理テーブル２４０は、例えば、図６に示すようなデータ（同一データとすることができる。）が予め設定してある状態であり、無線基地局１１２、１１１、１１３のフロー情報管理テーブル２４１は、何も登録されていない状態である。次に、通信制御装置１２０のフロー管理テーブル３０１は、例えば、図８に示すようなデータが予め設定してある状態であり、通信制御装置１２０のリソース管理テーブル３０２は、何も登録されていない状態である。なお、この場合、各無線基地局は、セクタをひとつのみ備える構成でもよい。
【００３２】
無線端末１００または保守装置１５０は、配信を行うフローのフローＩＤを指定し、無線基地局１１２に対してフロー配信要求メッセージを送信する（ステップ１０１０）。フローＩＤは、無線端末１００に対して送信するフローと１：１に対応付けられるものであり、対応付けは、フロー配信要求メッセージを無線基地局１１２に対して送信する事前に無線端末１００または保守装置１５０に登録されている。フローＩＤは、無線端末１００を使用するユーザまたは保守装置１５０を使用するオペレータが送信するフローを選択することで一意に決定される。
無線基地局１１２の呼処理部２０１は、無線端末１００または保守装置１５０からのフロー配信要求メッセージの受信を契機にＳＨＯＧ管理テーブル２４０の参照を行い、通信制御装置１２０に対して、サービス要求を送信する際に必要となる、自局のＩｎｔｅｌａｃｅ毎に設定されたＳＨＯＧの情報の読み出しを行う（ステップ１２４０）。次に、無線基地局１１２の呼処理部２０１は、無線端末１００が位置するセクタについて、フローを送信するＩｎｔｅｒｌａｃｅ、送信するタイミング、送信する時間、無線データレートの情報を取得するために、通信制御装置１２０に対しＳｅｒｖｉｃｅ  Ｒｅｑｕｅｓｔメッセージを送信する（ステップ１０２０）。Ｓｅｒｖｉｃｅ  Ｒｅｑｕｅｓｔメッセージには、フローＩＤとステップ１２４０で入手した自局のＩｎｔｅｒｌａｃｅ毎のＳＨＯＧの情報を含める。
【００３３】
通信制御装置１２０の呼処理部３１１は、無線基地局１１２からＳｅｒｖｉｃｅ  Ｒｅｑｕｅｓｔメッセージを受信すると、自装置内に保持しているフロー管理テーブル３０１を参照し、Ｓｅｒｖｉｃｅ  Ｒｅｑｕｅｓｔメッセージで要求されたフローＩＤ及びＩｎｔｅｒｌａｃｅ毎のＳＨＯＧの情報に基づき検索し、これらデータに該当する情報、即ち、該当フローＩＤを送信するエリアを示すＳＨＯＧの情報、フローを送信する際に使用するＩｎｔｅｒｌａｃｅ、１サイクルにおけるフローの送信時間、フローを送信する際の送信データレートの情報を読み出す（ステップ１０３０）。また、ステップ１０３０で得た、該当フローＩＤを送信するエリアを示すＳＨＯＧの情報、フローを送信する際に使用するＩｎｔｅｒｌａｃｅ、１サイクルにおけるフローの送信時間の情報を基に、リソース管理テーブル３０２を参照し、該当するフローの送信タイミングが登録されていなければ、該当するＳＨＯＧの空きリソースに対し要求されたフローのリソースを仮に割り当て、フローの送信タイミングを決定し、リソース管理テーブル３０２に記憶する。一方、該当するフローの送信するタイミングが登録されていれば、その送信タイミングを読み出す（ステップ１０３１）（本格的なリソースの確保は後述のパスの確立時に行う。）。この例では、はじめ、通信制御装置１２０のリソース管理テーブル３０２の初期状態は、なにも登録されていない状態である。よって、通信制御装置１２０は、無線基地局１１２からのＳｅｒｖｉｃｅ  Ｒｅｑｕｅｓｔメッセージを契機に図９に示すリソース管理テーブル３０２の該当するエントリを生成し、更新管理を行う。
【００３４】
次に、通信制御装置１２０の呼処理部３１１は、無線基地局１１２に対してＳｅｒｖｉｃｅ  Ｒｅｓｐｏｎｓｅメッセージを返信する（ステップ１０２１）。Ｓｅｒｖｉｃｅ  Ｒｅｓｐｏｎｓｅメッセージには、Ｓｅｒｖｉｃｅ  Ｒｅｑｕｅｓｔメッセージで受信したフローＩＤ、ステップ１０３０で取得したフローを配信するＩｎｔｅｒｌａｃｅ、送信時間、送信データレートの情報、またステップ１０３１にて決定した、フローを送信するタイミングの情報を含める。なお、ここで、通信制御装置１２０が管理しているリソース管理テーブル３０２の該当ＳＨＯＧの無線リソースに空きリソースが不足している場合は、Ｓｅｒｖｉｃｅ  Ｒｅｓｐｏｎｓｅメッセージにて空きリソースが不足しているため割り当てされない旨を無線基地局１１２に通知する。
【００３５】
無線基地局１１２の呼処理部２０１は、フローＩＤと、通信制御装置１２０から受信したフローを配信するＩｎｔｅｒｌａｃｅ、送信する時間、送信データレート、送信するタイミングの情報を用いて、通信制御装置１２０との間にフローのデータを流すためのパスを確立する（ステップ１０４０）。パス確立後、無線基地局１１２の呼処理部２０１は、フローＩＤ、配信Ｉｎｔｅｒｌａｃｅ、送信タイミング、送信時間、送信データレート等のリソース情報を、無線端末１００または保守装置１５０の位置する当該セクタのフロー情報管理テーブル２４１へ記憶する（ステップ１２４１）。無線基地局１１２のフロー情報管理テーブル２４１の初期状態は、なにも登録されていない状態である。無線基地局１１２は、通信制御装置１２０からのＳｅｒｖｉｃｅ  Ｒｅｓｐｏｎｓｅメッセージの受信を契機に図７に示すフロー情報管理テーブル２４１の該当するエントリを生成し、更新管理を行う。
【００３６】
一方、通信制御装置１２０の呼処理部３１１は、ステップ１０３１でフロー管理テーブル３０１に仮に割り当てたフローのリソース情報の確定を行う（ステップ１０３２）。さらに、通信制御装置１２０は、コンテンツサーバ１４０に対してフローの配信要求を送信する（ステップ１０６０）。コンテンツサーバ１４０は、通信制御装置１２０からのフローの配信要求の受信を契機にコンテンツ４００の配信を通信制御装置１２０を介して無線基地局１１２に対して開始する（ステップ１０５０）。無線基地局１１２は、通信制御装置１２０から取得した配信Ｉｎｔｅｒｌａｃｅ、送信時間、送信データレート、送信するタイミングの情報に従い、当該セクタの無線上にフローを送信する（ステップ１０５１）。
【００３７】
次に、無線基地局１１２でフローを送信している際に、隣接の無線基地局１１１及び／又は１１３が同一の無線端末１００または保守装置１５０から同一のフローＩＤでフロー配信要求を受信した場合のシーケンスを続けて示す。
無線端末１００または保守装置１５０は、無線基地局１１１、１１３に対してフローＩＤを指定してフロー送信要求を送信する（ステップ１０１１）。無線基地局１１１、１１３の呼処理部２０１は、自局のＳＨＯＧ管理テーブル２４０の参照を行い、Ｉｎｔｅｒｌａｃｅ毎に設定されたＳＨＯＧを読み出す（ステップ２２４０）。無線基地局１１１、１１３の呼処理部２０１は、通信制御装置１２０に対してＳｅｒｖｉｃｅ  Ｒｅｑｕｅｓｔメッセージを送信する（ステップ１０２２）。Ｓｅｒｖｉｃｅ  Ｒｅｑｕｅｓｔメッセージには、フローＩＤ、Ｉｎｔｅｒｌａｃｅ毎に設定されたＳＨＯＧ情報を含める。通信制御装置１２０の呼処理部３１１は、上述のように、フロー管理テーブル３０１を参照し、フローＩＤに対応するＳＨＯＧ、使用するＩｎｔｅｒｌａｃｅ、フローの送信時間、フローの送信データレートを読み出す（ステップ１０３３）。また、リソース管理テーブル３０２を参照し、該当するフローの送信タイミングが記憶されていれば、無線リソースの仮割り当てを行い、フローの送信タイミングを読み出す（ステップ１０３４）。
【００３８】
同一のフローＩＤを割り当てる場合には前に割り当てた無線リソースと同じリソースを使用する。通信制御装置１２０の呼処理部３１１は、無線基地局１１１、１１３に対して、Ｓｅｒｖｉｃｅ  Ｒｅｓｐｏｎｓｅメッセージを返信する（ステップ１０２３）。Ｓｅｒｖｉｃｅ  Ｒｅｓｐｏｎｓｅメッセージには、フローＩＤ、使用するＩｎｔｅｒｌａｃｅ、フローの送信タイミング、フローの送信時間、フローの送信データレートの情報を含める。無線基地局１１１，１１３の呼処理部２０１は、通信制御装置１２０から受信した情報を基にパスの確立を行う（ステップ１０４１）。また、フローのリソース情報を自局のフロー情報管理テーブル２４１に記憶する（ステップ２２４１）。通信制御装置１２０は、コンテンツサーバ１４０から配信されたフローを無線基地局１１１、１１３にも配信する（ステップ１０５２）。無線基地局１１１、１１３は、通信制御装置１２０から取得した配信Ｉｎｔｅｒｌａｃｅ、送信時間、送信データレート、送信するタイミングの情報に従い無線上にフローを送信する（ステップ１０５３）。無線基地局１１２から送信されるフローと無線基地局１１１、１１３から送信されるフローは、通信制御装置１２０で管理されている同じＳＨＯＧの無線リソースで送信されるため、無線端末１００では、各無線基地局からのフロー（ステップ１０５１、ステップ１０５３）を合成して受信（ソフトコンバイン）することが可能となる（ステップ１０７０）。
【００３９】
４．動作２（無線基地局のあるセクタと、同一無線基地局のそれに隣接するセクタとの間のソフトコンバイン）
図１３は、第２の実施の形態のエリア管理を実現するためのシーケンス図である。
まず、本実施の形態の初期状態としては、次の通りである。無線基地局１１２のＳＨＯＧ管理テーブル２４０は、例えば、図６に示すようなデータが予め設定してある状態であり、無線基地局１１２のフロー情報管理テーブル２４１は、何も登録されていない状態である。次に、通信制御装置１２０のフロー管理テーブル３０１は、例えば、図８に示すようなデータが予め設定してある状態であり、通信制御装置１２０のリソース管理テーブル３０２は、何も登録されていない状態である。
無線端末１００または保守装置１５０は、セクタａにより、配信を行うフローのフローＩＤを指定し、無線基地局１１２に対してフロー配信要求メッセージを送信する（ステップ１０１０’）。
【００４０】
以後、上述の「３．動作１」と同様に、ステップ１２４０〜１０５１の処理が実行される。即ち、コンテンツサーバ１４０は、通信制御装置１２０からのフローの配信要求の受信を契機にコンテンツ４００の配信を通信制御装置１２０を介して無線基地局１１２に対して開始し（ステップ１０５０）、また、無線基地局１１２は、通信制御装置１２０から取得した配信Ｉｎｔｅｒｌａｃｅ、送信時間、送信データレート、送信するタイミングの情報に従い、当該セクタの無線上にフローを送信する（ステップ１０５１）。
次に、無線基地局１１２のセクタａでフローを送信している際に、無線基地局１１２の他セクタであるセクタｂから同一のフローＩＤでフロー配信要求を受信した場合のシーケンスを続けて示す。
【００４１】
無線端末１００または保守装置１５０は、セクタｂにより、無線基地局１１２に対してフローＩＤを指定してフロー送信要求を送信する（ステップ１０１１’）。無線基地局１１２の呼処理部２０１は、自局のＳＨＯＧ管理テーブル２４０の参照を行い、Ｉｎｔｅｒｌａｃｅ毎に設定されたＳＨＯＧを読み出す（ステップ２２４０’）。無線基地局１１２の呼処理部２０１は、通信制御装置１２０に対してＳｅｒｖｉｃｅ  Ｒｅｑｕｅｓｔメッセージを送信する（ステップ１０２２’）。Ｓｅｒｖｉｃｅ  Ｒｅｑｕｅｓｔメッセージには、フローＩＤ、Ｉｎｔｅｒｌａｃｅ毎に設定されたＳＨＯＧ情報を含める。通信制御装置１２０の呼処理部３１１は、上述のように、フロー管理テーブル３０１を参照し、フローＩＤに対応するＳＨＯＧ、使用するＩｎｔｅｒｌａｃｅ、フローの送信時間、フローの送信データレートを読み出す（ステップ１０３３’）。また、リソース管理テーブル３０２を参照し、該当するフローの送信タイミングが記憶されていれば、無線リソースの仮割り当てを行い、フローの送信タイミングを読み出す（ステップ１０３４’）。
【００４２】
同一のフローＩＤを割り当てる場合には前に割り当てた無線リソースと同じリソースを使用する。通信制御装置１２０の呼処理部３１１は、無線基地局１１２に対して、Ｓｅｒｖｉｃｅ  Ｒｅｓｐｏｎｓｅメッセージを返信する（ステップ１０２３’）。Ｓｅｒｖｉｃｅ  Ｒｅｓｐｏｎｓｅメッセージには、フローＩＤ、使用するＩｎｔｅｒｌａｃｅ、フローの送信タイミング、フローの送信時間、フローの送信データレートの情報を含める。無線基地局１１２の呼処理部２０１は、通信制御装置１２０から受信した情報を基に、セクタｂにより、パスの確立を行う（ステップ１０４１’）。また、フローのリソース情報を自局のフロー情報管理テーブル２４１に記憶する（ステップ２２４１’）。通信制御装置１２０は、コンテンツサーバ１４０から配信されたフローを無線基地局１１２のセクタｂに対しても配信する（ステップ１０５２’）。無線基地局１１２は、セクタｂにより、通信制御装置１２０から取得した配信Ｉｎｔｅｒｌａｃｅ、送信時間、送信データレート、送信するタイミングの情報に従い無線上にフローを送信する（ステップ１０５３’）。無線基地局１１２のセクタａから送信されるフローと無線基地局１１２のセクタｂから送信されるフローは、通信制御装置１２０で管理されている同じＳＨＯＧの無線リソースで送信されるため、無線端末１００では、同一無線基地局の各セクタからのフロー（ステップ１０５１’、ステップ１０５３’）を合成して受信（ソフトコンバイン）することが可能となる（ステップ１０７０’）。
【産業上の利用可能性】
【００４３】
本発明は、セクタに分かれていない無線基地局、及び、複数のセクタに分かれている無線基地局等の様々な無線基地局を備えたシステムに適用することができる。
【図面の簡単な説明】
【００４４】
【図１】無線システムの構成図。
【図２】無線基地局１１０、１１１、１１２、１１３、１１４の構成図。
【図３】通信制御装置１２０の構成図。
【図４】コンテンツサーバ１４０の構成図。
【図５】保守装置１５０の構成図。
【図６】ＳＨＯＧ管理テーブル２４０の説明図。
【図７】フロー情報管理テーブル２４１の説明図。
【図８】フロー管理テーブル３０１の説明図。
【図９】リソース管理テーブル３０２の説明図。
【図１０】第１の実施の形態のエリア管理を実現するためのシーケンス図。
【図１１】本実施の形態で使用するメッセージのフォーマットの説明図。
【図１２】メッセージの情報部の詳細フォーマットの説明図。
【図１３】第２の実施の形態のエリア管理を実現するためのシーケンス図。
【符号の説明】
【００４５】
１００  無線端末
１１０〜１１４  無線基地局
１２０  通信制御装置
１３０  ＩＰ−ＮＷ
１４０  コンテンツサーバ
１５０  保守装置
【図１】
0004783179.tif 000002
【図２】
0004783179.tif 000003
【図３】
0004783179.tif 000004
【図４】
0004783179.tif 000005
【図５】
0004783179.tif 000006
【図６】
0004783179.tif 000007
【図７】
0004783179.tif 000008
【図８】
0004783179.tif 000009
【図９】
0004783179.tif 000010
【図１０】
0004783179.tif 000011
【図１１】
0004783179.tif 000012
【図１２】
0004783179.tif 000013
【図１３】
0004783179.tif 000014